(57)【要約】【課題】音声報知しないモードであっても使用者に伝達が必要なときはいつでも使用者が選択した調理機器の動作内容を容易に認識させることが出来る加熱調理器を提供すること。【解決手段】機器の動作を指示するための複数の選択肢のうち少なくとも一つは選択対象の内容を示す意味を持たない記号化された表示を表示部１２に表示する記号化選択肢であって、前記記号化選択肢が選択されると音声報知部１３の報知が禁止された状態でも、音声報知部１３は選択された選択肢の内容を音声報知することにより、報知禁止手段により音声報知部の報知が禁止されていたとしても、選択手段にて記号化選択肢が選択されて表示部に記号化された表示が表示されたときは、選択された選択肢の内容を音声報知することが出来る。【選択図】図１
2014190648.tif 000002
【特許請求の範囲】
【請求項１】
情報を表示する表示部と、情報を声で報知する音声報知部と、前記音声報知部の報知を使用者が禁止することが出来る報知禁止手段と、機器の動作を指示するための複数の選択肢の中から１つを選択する選択手段とを備え、前記複数の選択肢のうち少なくとも１つは選択対象の内容を示す意味を持たない記号化された表示を前記表示部に表示する記号化選択肢であって、前記記号化選択肢が選択されると前記音声報知部の報知が禁止された状態でも、前記音声報知部は選択された選択肢の内容を音声報知するようにしたことを特徴とした加熱調理器。
【請求項２】
前記記号化選択肢が選択された時であっても前記音声報知部の報知を禁止することが出来る強制報知禁止手段を備えた請求項１に記載の加熱調理器。
【請求項３】
前記記号化された表示は７ＳＥＧ表示で表示されることを特徴とした請求項１又は２に記載の加熱調理器。
【発明の詳細な説明】
【技術分野】
【０００１】
本発明は、加熱調理器に関するものであり、特に、加熱調理の表示部の表示では使用者に調理内容がわからない時に、音声を強制的に報知する機能を備えた加熱調理器に関するものである。
【背景技術】
【０００２】
従来、この種の加熱調理器は、音声ガイドボタンが操作されないときには、音声報知を行わず、音声ガイドボタンが操作されたときに、音声報知するものであった。
（例えば、特許文献１参照）
特許文献１に記載された加熱調理器は、食品を収容する加熱室と、該加熱室に収容した食品をマイクロ波でレンジ加熱するときに用いるマグネトロンと、前記加熱室に収容した食品をオーブン加熱するときに用いるヒータと、前記加熱室の開口を閉鎖するドアと、該ドアの一部に設けられた操作パネルと、該操作パネルに設けられた音声ガイドボタンと、前記操作パネルの入力に基づいて前記マグネトロンと前記ヒータを制御する制御回路と、該制御回路の制御により音声報知するスピーカと、を具備し、前記音声ガイドボタンが操作されないときには、音声報知を行わず、前記音声ガイドボタンが操作されたときに、次に行うべき操作を音声報知するものである。
【先行技術文献】
【特許文献】
【０００３】
【特許文献１】特開２０１０−２５５９３７号公報
【発明の概要】
【発明が解決しようとする課題】
【０００４】
しかしながら、前記従来の加熱調理器では例えば使用者が普段音声報知を煩わしいと感じるために音声報知しないモードで使用中あり、かつ、使用者が選択した機器の動作内容が表示部に表示される表示メニューでは認識できない場合において、使用者は選択した機器の動作内容の認識が困難な場合があるという課題があった。
【０００５】
本発明は、前記従来の課題を解決するものであり、使用者に伝達が必要なときはいつでも使用者が選択した調理機器の動作内容を容易に認識させることが出来る加熱調理器を提供することを目的とする。
【課題を解決するための手段】
【０００６】
前記従来の課題を解決するために、本発明の加熱調理器は、情報を表示する表示部と、情報を声で報知する音声報知部と、前記音声報知部の報知を使用者が禁止することが出来る報知禁止手段と、機器の動作を指示するための複数の選択肢の中から一つを選択する選択手段とを備え、前記複数の選択肢のうち少なくとも一つは選択対象の内容を示す意味を持たない記号化された表示を前記表示部に表示する記号化選択肢であって、前記記号化選択肢が選択されると前記音声報知部の報知が禁止された状態でも、前記音声報知部は選択された選択肢の内容を音声報知するようにしたことを特徴としたものである。
【０００７】
これによって、報知禁止手段により音声報知部の報知が禁止されていたとしても、選択手段にて記号化選択肢が選択されて表示部に記号化された表示が表示されたときは、選択された選択肢の内容を音声報知することが出来る。
【発明の効果】
【０００８】
本発明の加熱調理器は、通常は音声報知をしないように設定されていたとしても、表示部の表示が記号化され、選択された機器の動作内容が表示部の表示だけでは容易に認識できない場合、選択された機器の動作内容を音声で報知でき、使用者に伝達が必要なときはいつでも使用者が選択した機器の動作内容を容易に認識させることができ、多数の動作内容を記号化して安価な表示部で表示出来る。
【図面の簡単な説明】
【０００９】
【図１】本発明の実施の形態１の加熱調理器の全体構成を示すブロック図
【図２】本発明の実施の形態１の動作を示すフローチャート
【図３】本発明の実施の形態２の加熱調理器の全体構成を示すブロック図
【図４】本発明の実施の形態２の動作を示すフローチャート
【図５】本発明の実施の形態３の記号化された表示例を示す図
【発明を実施するための形態】
【００１０】
第１の発明は、情報を表示する表示部と、情報を声で報知する音声報知部と、前記音声報知部の報知を使用者が禁止することが出来る報知禁止手段と、機器の動作を指示するための複数の選択肢の中から１つを選択する選択手段とを備え、前記複数の選択肢のうち少なくとも１つは選択対象の内容を示す意味を持たない記号化された表示を前記表示部に表示する記号化選択肢であって、前記記号化選択肢が選択されると前記音声報知部の報知が禁止された状態でも、前記音声報知部は選択された選択肢の内容を音声報知するようにしたものである。これにより、報知禁止手段により音声報知部の報知が禁止されていたとしても、選択手段にて記号化選択肢が選択されて表示部に記号化された表示が表示されたときは、使用者が選択した機器の動作内容を使用者に容易に認識させることができ、多数の動作内容を記号化して安価な表示部で表示出来る。
【００１１】
第２の発明は、特に、第１の発明の加熱調理器において、前記記号化選択肢が選択された時であっても前記音声報知部の報知を禁止することが出来る強制報知禁止手段を備えることにより、いかなる場合も音声を報知しない状態を設けることができ、使用者が記号化選択肢の選択頻度が高い場合など、使用者が記号化された表示の意味を認識し、音声報知をさせたくない場合は、使用者が強制報知禁止手段を作動させて音声報知が一切無い状態で快適に使用することができる。
【００１２】
第３の発明は、特に、第１または第２の発明の加熱調理器の記号化された表示は７ＳＥＧ表示で表示されることとすることにより、一般にありふれた汎用の表示用部品で機器の動作を指示するための数多くの選択肢を記号化された表示により表現することが出来るので、記号化された選択肢が多数存在する場合であっても、安価で比較的小さな占有面積の表示部とすることができる。
【００１３】
以下、本発明の加熱調理器に係る実施の形態について、添付の図面を参照しながら説明する。なお、本発明は、以下の実施の形態に記載した具体的な構成に限定されるものではなく、実施の形態において説明する技術的思想と同様の技術的思想及び当技術分野における技術常識に基づいて構成されるものを含むものである。
【００１４】
（実施の形態１）
図１は本発明の第１の実施の形態における加熱調理器の全体構成を示すブロック図である。
【００１５】
図１において、加熱調理器の上面に設けられたセラミック製のトッププレート１と、高周波磁界を発生させることによって、トッププレート１上の調理容器２（左調理容器２ａ及び右調理容器２ｂ）を誘導加熱する加熱コイル３（左加熱コイル３ａ及び右加熱コイル
３ｂ）と電気抵抗体による発熱によりトッププレート１上の調理容器２（中調理容器２ｃ）を加熱するラジェントヒーター４で構成される加熱部５とを備え、トッププレート１は、ガラスなどの電気絶縁物からなる。誘導加熱コイルである加熱コイル３は、トッププレート１の下方の手前側左部に左加熱コイル３ａが、手前側右部に右加熱コイル３ｂがそれぞれ設けられている。ラジェントヒーター４は、トッププレート１の下方の後ろ側中央に設けられている。なお、本発明の加熱調理器において、加熱部５の構成は、実施の形態１の構成に限定されるものではなく、被加熱物を加熱できるものであればよい。
【００１６】
また、オン操作により商用電源７から加熱部５への電源供給を行い、オフ操作により加熱部５への電源供給を遮断する電源スイッチ６を備え、電源スイッチ６は、トッププレート１の使用者が操作できる領域に設けられている。なお、本発明の加熱調理器において、電源スイッチ６の設置場所は、実施の形態１の構成に限定されるものではなく、使用者が操作できるところであればよい。
【００１７】
また、加熱部５の下方には、商用電源７から供給される交流電圧から高周波電流を生成し、生成した高周波電流を加熱コイル３に出力するインバータ部８（左インバータ部８ａ及び右インバータ部８ｂ）と、商用電源７から供給される交流電圧をラジェントヒーター４に出力するラジェント部９が設けられている。
【００１８】
また、インバータ部８とラジェント部９の加熱を制御する加熱制御部１０と、加熱制御部１０の動作を複数の選択肢の中から一つを選択し指示する選択手段１１と、選択手段１１の選択された選択対象の情報を表示する表示部１２と、選択手段１１の選択された選択対象の情報を声で報知する音声報知部１３と、音声報知部１３の報知を使用者が禁止することが出来る報知禁止手段１４が設けられている。表示部１２は調理容器２が載置される領域の前方に設けられている。なお、本発明の加熱調理器において、表示部１２の設置場所は、実施の形態１の構成に限定されるものではなく、使用者が視認できる場所であれば良い。なお、選択手段１１はトッププレート１の使用者が操作できる領域に設けられている。なお、本発明の加熱調理器において、選択手段１１の設置場所は、実施の形態１の構成に限定されるものではなく、使用者が操作できるところであればよい。
【００１９】
以上のように構成された加熱調理器について、以下、その動作を説明する。
【００２０】
図２は、本発明の第１の実施の形態における加熱調理器の動作を示すフローチャートである。図２において、まず、ＳＴＥＰ１にて加熱部５への電源供給が遮断された状態である電源オフモードからスタートし、ＳＴＥＰ２にて電源スイッチ６をオン操作すると加熱部５に電源供給を行う。
そして、ＳＴＥＰ３で使用者が選択手段１１から選択肢の一つを選択すると、ＳＴＥＰ４にて報知禁止手段１４で報知が禁止されているかを判別する。報知が禁止されている時はＳＴＥＰ５に移行し、複数の選択肢の中から選択対象の内容を示す意味を持たない記号化された表示を表示部１２に表示する記号化選択肢が選択されるとＳＴＥＰ６ａに移行し、音声報知部１３は選択された選択対象の情報を音声報知し、表示部１２に記号化された表示を表示する。一方、ＳＴＥＰ５にて記号化選択肢以外が選択されると、ＳＴＥＰ６ｂに移行し、音声報知部１３は選択された選択対象の情報を音声報知せず、表示部１２は選択された選択対象の情報を表示する。また、ＳＴＥＰ４にて報知が禁止されていない時は、ＳＴＥＰ６ａに移行し、表示部１２に選択された選択対象の情報を表示し、音声報知部１３は選択された選択対照の情報を報知する。
【００２１】
なお、選択手段１１にて記号化選択肢以外の選択対象が選択されたときは表示部１２に表示される選択対象の情報と、音声報知部１３が報知する選択された選択対象の情報は必ずしも同じでなくてもよく、使用者が何を選択したのか容易に確認できるようにすればよ
い。
【００２２】
以上のように、本実施の形態によれば、選択対象の内容を示す意味を持たない記号化された表示が表示され、表示部１２の表示だけでは、選択された選択対象の機器の動作内容を容易に認識できない場合において、選択された選択対象の機器の動作内容を音声で報知するので、使用者に伝達が必要なときはいつでも使用者は選択した機器の動作内容を容易に認識することができ、多数の動作内容を記号化して安価な表示部で表示出来る。
【００２３】
（実施の形態２）
次に、本発明の第２の実施の形態における加熱調理器について、図３、および図４を参照しながら説明する。
【００２４】
実施の形態２は、実施の形態１の加熱調理器において説明したものと同じ、機能、構成を有するものには同一符号を用いて、その説明を省略する。
【００２５】
図３は本発明の第２の実施の形態の加熱調理器の全体構成を示すブロック図である。図３に示すように、本実施の形態は、第１の実施の形態の構成において選択手段１１にて記号化選択肢が選択された時であっても音声報知部１３の報知を禁止することが出来る強制報知禁止手段１５を新たに加えた構成となっている。
【００２６】
以上のように構成された加熱調理器について、以下、その機能を説明する。
【００２７】
図４は、本実施の形態２の動作を示すフローチャートである。図４において、まず、ＳＴＥＰ３にて使用者が選択手段１１から選択肢の一つを選択すると、ＳＴＥＰ７にて強制報知禁止手段１５にて報知が禁止されているかを判別する。強制報知禁止手段１５により報知が禁止されている場合はＳＴＥＰ６ｂに移行し、音声報知部１３は選択された選択対象の情報を一切音声報知せず、表示部１２は選択された選択対象の情報を表示する。なお、表示部１２が表示する選択された選択対象の情報は記号化された表示であっても記号化された表示でなくても構わない。一方、ＳＴＥＰ７において強制報知禁止手段１５により報知が禁止されていない場合は、ＳＴＥＰ４へ移行し、以後は第１の実施の形態と同様の動作である。
【００２８】
以上のように、本実施の形態によれば、選択手段１１の選択された選択肢によらず、いかなる場合も音声を報知しない状態を設けることができ、使用者が記号化された表示の意味を認識し、音声報知をさせたくない場合は、使用者が強制報知禁止手段１５を作動させて音声報知が一切無い状態で快適に使用することができる。
【００２９】
（実施の形態３）
次に、本発明の第３の実施の形態の加熱調理器について、図３および図５を参照しながら説明する。本実施の形態は記号化された表示に特徴があり、構成、機能は実施の形態１及び実施の形態２と共通である。よって、実施の形態１および実施の形態２の加熱調理器において説明したものと同じ、機能、構成を有するものには同一符号を用いて、その説明を省略する。
【００３０】
図５は本発明の第３の実施の形態の加熱調理器の記号化された表示例を示す図である。
【００３１】
図５に示すように、本実施の形態の記号化された表示は、７ＳＥＧ表示で表示することを特徴としており、例えば、使用者がハンバーグの調理を選択した時は表示部１２に『Ａ−１』と表示し、強制報知禁止手段１５により報知が禁止されていない場合は「ハンバーグ」と音声にて報知する。また、使用者がホットケーキの調理を選択した時は表示部１２
に『Ｆ−７』と表示し、強制報知禁止手段１５により報知が禁止されていない場合は「ホットケーキ」と音声にて報知する。
【００３２】
このように、記号化された選択肢は、特にメニュー数の多い加熱調理器や、外部の通信端末でダウンロードしたメニューとメニュー名を加熱調理器に転送して特定の記号化された選択肢として記憶させて選択できるようにする場合などにおいても、例えば７ＳＥＧの表示器が２桁あれば相当数の選択肢を表現できるため、タイマー時間を表示する７ＳＥＧ表示部を流用して多数のメニュー表示が可能となるというメリットがある。
【００３３】
なお、本発明の加熱調理器において、表示部１２の記号化された表示と音声報知部１３の報知は本実施の形態の構成に限定されるものではなく、表示部１２の記号化された表示は表示桁数や表示する記号などは特に限定はなく利用者が他の記号化された表示およびタイマー時間の表示などの数値表示と区別できれば良く、音声報知部１３の報知は使用者が選択した選択対象の機器の動作内容を認識できれば良い。
【００３４】
以上のことから、本実施の形態によれば、一般にありふれた汎用の７ＳＥＧの表示用部品で機器の動作を指示するための数多くの選択肢を記号化された表示により表現することが出来るので、記号化された選択肢が多数存在する場合であっても、それぞれに対応した記号化された表示を割り当てることが出来、安価で比較的小さな占有面積にて表示部１２を構成することができる。
【産業上の利用可能性】
【００３５】
以上のように、本発明にかかる加熱調理器は、表示部の簡略化、音声報知の無効化のロジックに適用できるので、メニューやコースなどを多数の選択肢から選択して表示し、選択内容を音声にて報知する機器であれば、組み込み式、テーブルの上で使用する卓上型、又は置き台の上で使用する据え置き型等の加熱調理器のみならず、コース選択を有するあらゆる機器に適用できる。
【符号の説明】
【００３６】
１  トッププレート
２  調理容器
３  加熱コイル
４  ラジェントヒーター
５  加熱部
６  電源スイッチ
８  インバータ部
９  ラジェント部
１０  加熱制御部
１１  選択手段
１２  表示部
１３  音声報知部
１４  報知禁止手段
１５  強制報知禁止手段
【図１】
2014190648.tif 000003
【図２】
2014190648.tif 000004
【図３】
2014190648.tif 000005
【図４】
2014190648.tif 000006
【図５】
2014190648.tif 000007